(57)【要約】  本発明は、ジャッキが嵌め込まれる受け入れ要素用のフランジ及び開口部（１６）を有する自動車のシルに固定される自動車用のジャッキブラケット（１２）に関する。本発明はまた、前記ブラケット（１２）を製造する方法に関する。その安定性を失わずにブラケット（１２）の製造及び構成を簡素化するために、ブラケット（１２）は、管状中空部材（６）と、前記端部（１０）を覆う中空部材（６）のシルと反対側の端部（１０）に取り付けられ、受け入れ要素用の開口部（１６）を有するカバー（１３）とから構成される。
2007533525.tif 000002
【特許請求の範囲】
【請求項１】
フランジを用いて自動車のシルに固定され、ジャッキをはめ込むことができる受け入れ要素用の開口部を有する、自動車用のジャッキブラケットであって、
前記ブラケット（１２）が、管状の中空部材（６）と、前記シルから遠い前記中空部材（６）の端部（１０）に固定され、前記端部（１０）を覆い、前記受け入れ要素用の前記開口部（１６）を有するカバー（１３）とから成ることを特徴とするジャッキブラケット。
【請求項２】
前記中空部材（６）がハイドロフォーミング部品であることを特徴とする請求項１に記載のジャッキブラケット。
【請求項３】
前記フランジが、前記中空部材（６）の壁部分（９）から形成されることを特徴とする請求項１あるいは２に記載のジャッキブラケット。
【請求項４】
前記カバー（１３）がスリーブ状拡張部を有し、同スリーブ状拡張部によって前記カバー（１３）が前記中空部材（６）に嵌め込まれることを特徴とする請求項１〜３のいずれか一項に記載のジャッキブラケット。
【請求項５】
前記カバー（１３）は、実質的に平面状であるベース領域（１７）を有することを特徴とする請求項１〜４のいずれか一項に記載のジャッキブラケット。
【請求項６】
前記カバー（１３）は、前記自動車（３０）の前記ジャッキブラケット（１２）の設置位置において、全ベース領域（１７）にわたり道路と平行に向けられることを特徴とする請求項１〜５のいずれか一項に記載のジャッキブラケット。
【請求項７】
前記カバー（１３）は前記ベース領域（１７）にビード（１８）を有することを特徴とする請求項１〜６のいずれか一項に記載のジャッキブラケット。
【請求項８】
前記カバー（１３）は、前記ベース領域（１７）に取り付け装置用の位置決め穴（１９）を有することを特徴とする請求項１〜７のいずれか一項に記載のジャッキブラケット。
【請求項９】
前記位置決め穴（１９）は異なる大きさのものであることを特徴とする請求項８に記載のジャッキブラケット。
【請求項１０】
前記カバー（１３）の中央開口部（１６）は、前記中空部材（６）に向かうカラー部（２０）によって区切られることを特徴とする請求項１〜９のいずれか一項に記載のジャッキブラケット。
【請求項１１】
前記受け入れ要素は、好ましくはプラスチックから成る、ストッパ（２１）によって形成されることを特徴とする請求項１〜１０のいずれか一項に記載のジャッキブラケット。
【請求項１２】
前記ストッパ（２１）は、前記カバーに面する面（２２）に、前記カバー（１３）の前記中央開口部（１６）と接続するよう相互に作用する少なくとも１つのクリップ要素（２３）を有することを特徴とする請求項１１に記載のジャッキブラケット。
【請求項１３】
前記ストッパ（２１）の外周面（２４）は、前記固定位置において、前記カバー（１３）の円筒状縁部（１５）と面一になるか又は内側にあることを特徴とする請求項１１あるいは１２のいずれか一項に記載のジャッキブラケット。
【請求項１４】
前記カバーから遠い前記ストッパ（２１）の端面（２５）は、前記自動車（３０）の、損傷に関し重要である、周囲構成要素に対し下方に予めオフセットされることを特徴とする請求項１１〜１３のいずれか一項に記載のジャッキブラケット。
【請求項１５】
前記中空部材（６）の、接続フランジを形成する、壁部分（９）の輪郭と、前記シル（２６）の輪郭とは、前記ブラケット（１２）の取り付け領域において互いに対応する形状となるように設計されることを特徴とする請求項１〜１４のいずれか一項に記載のジャッキブラケット。
【請求項１６】
前記自動車（３０）の後輪の前方及び前輪の後方の前記シル（２６）の前記ブラケット（１２）は、同一形状であることを特徴とする請求項１〜１５のいずれか一項に記載のジャッキブラケット。
【請求項１７】
前記ブラケット（１２）は、前記自動車（３０）のシルパネル（２７）とアンダーボディパネル（２８）との間の構成要素分離部の外部に配置され、前記受け入れ要素と共に前記ブラケット（１２）は前記アンダーパネル（２８）の開口部（４４）を通って突出することを特徴とする請求項１〜１６のいずれか一項に記載のジャッキブラケット。
【請求項１８】
フランジによって自動車のシルに固定され、ジャッキをはめ込むことができる受け入れ要素用の開口部を有する、前記自動車のジャッキブラケットを製造する方法であって、
前記ブラケット（１２）が、中空部材（６）と、一端で前記中空部材（６）を覆うカバー（１３）とから組み立てられ、
前記開口部（１６）が前記カバー（１３）に形成されることを特徴とする方法。
【請求項１９】
前記中空部材（６）が、ハイドロフォーミングによって伸ばされる、管状素材（１）から形成されることを特徴とする請求項１８に記載の方法。
【請求項２０】
前記ハイドロフォーミング圧力が、前記素材（１）から、互いに軸方向に離間して配置される、少なくとも２つの拡張区画（２）を形成し、それらの区画（２）が次に分割工程によって別々の中空部材（６）に分割されることを特徴とする請求項１９に記載の方法。
【請求項２１】
前記形成動作に続き前記素材（１）が、前記素材の長手方向軸（５）に対して横方向に前記拡張区画（２）間で分割されて別々の素材区画を形成し、次に前記個々の素材区画が、略中間で、前記素材区画の軸方向の範囲に対し横方向に行われる他の分割方法によって、それぞれ２つの中空部材（６）に分割されることを特徴とする請求項２０に記載の方法。
【請求項２２】
前記素材（１）の非拡張端部（４）が、前記形成動作後に切り落とされることを特徴とする請求項１９〜２１のいずれか一項に記載の方法。
【請求項２３】
壁部分が、前記カバーから遠い前記中空部材（６）の端部（７）において切り欠きまたは切り取りが施され、
形成された隙間（８）により互いに間隔を空けられて残りがフランジを形成する前記壁部分（９）の少なくとも一部（９ａ）が折り曲げられることを特徴とする請求項１８〜２２のいずれか一項に記載の方法。
【請求項２４】
前記切り欠きが、前記ハイドロフォーミング圧力がまだ前記ハイドロフォーム成形機内に残っている、前記中空部材（６）のハイドロフォーミング中又はその後に行われることを特徴とする請求項２３に記載の方法。
【請求項２５】
板金部材がキャップ状カバー（１３）を形成するよう深絞り成形され、
前記カバー（１３）が好ましくは中央に穴が空けられ、特に打ち抜かれることを特徴とする請求項１８〜２４のいずれか一項に記載の方法。
【請求項２６】
前記キャップ状カバー（１３）が前記中空部材（６）に嵌め込まれ、次にその円筒状縁部（１５）の端面（１４）の領域で、好ましくは溶接によって、前記中空部材（６）に接合されることを特徴とする請求項２５に記載の方法。
【発明の詳細な説明】
【技術分野】
【０００１】
本発明は、請求項１の前段によるジャッキブラケットと、請求項１８の前段によるジャッキブラケットを製造する方法とに関する。
【背景技術】
【０００２】
一般的なブラケット及びその製造方法は特許文献１に記載されている。その文献に記載のブラケットは、板金シェル構造から形成され、そのブラケットが下部シル領域にスポット溶接によって固定される取り付け領域を有する。溶接されたシェル構造は、その他端に、プラスチックストッパが嵌め込まれる開口部を有し、プラスチックストッパは、ジャッキのピンを挿入できるくぼみを有する。ブラケットのシェル構造は、そのマルチパートの性質上、加工工学や設備に関し製造するのが比較的複雑となる。さらに、その構造が過負荷の結果生じる座屈を防止できるように、その構造を特に、自動車がジャッキアップされたときのブラケットへの力の導入に、複雑な方法で、適合させなければならない。
【０００３】
【特許文献１】独国特許発明第１９５  ２８  ３０９Ｃ２号明細書
【発明の開示】
【発明が解決しようとする課題】
【０００４】
本発明は、ブラケットの製造及び構造がいかなる安定性も失うことなく簡素化されるように一般的なブラケット及び一般的な製造方法をさらに発展させる目的に基づいている。
【課題を解決するための手段】
【０００５】
本発明によれば、この目的は、ジャッキブラケットに関する請求項１８の特徴によって、及びその方法に関する請求項１７の特徴によって達成される。
【０００６】
ジャッキを受け入れる開口部を含むカバーを一端に備えている中空部材としてブラケットを設計すると、複雑なシェル構造を使用しないで済ますことが可能となる。引き抜き管、巻かれた後に長手方向に溶接されている板金、又は押出部材から簡単に形成できる周囲が連続した中空部材は、高い曲げ及び捩り強度を有し、その結果としてブラケットは、自動車をジャッキアップするときに生じるような、高い機械的応力に容易に耐えることができる。中空部材は、カバーに接合されるだけでよく、つまり抵抗スポット溶接、レーザ溶接、接着剤接合、リベット接合又はこれらの接合方法の組み合わせのような、大きな出費を伴わずに実施できる多数の接合技術を使用することが可能となる。中空部材とカバーとから構成されるブラケットのこの２部品構成の他の利点は、例えば自動車を歩道に駐車させるために歩道に乗り上げたり、歩道から車道に降りたりするときに生じるような、過負荷をブラケットが受けた場合、カバーだけが変形し、それだけで過負荷を吸収する。しかしながら、中空部材は無傷のままである。カバーを中空部材から取り外し、標準修理方法を採用している工場内で新カバーと交換することはゆえに容易で安価である。これはまた、損傷した標準ブラケットの場合と比べても大いに修理時間の短縮となる。実証された本発明によるブラケットの変形特性は、カバー及び中空部材の幾何学的形状と材料との適当な構成によってさらに高められる。
【０００７】
ブラケットに関し請求項２に記載及び方法に関し請求項１９に記載の本発明の特に好ましい改良において、中空部材はハイドロフォーミング部品によって形成される。
【０００８】
中空部材は、この場合、ハイドロフォーミングによって伸ばされる管状素材から形成される。ハイドロフォーミングは、中空部材を理想的にブラケットの周囲に適合させることを可能にし、これらの適合は、比較的小さな変形度のため、ハイドロフォーミングにおいて形成し易い膨張で自ずと現れる。ハイドロフォーミングの製造公差の自由度のおかげで、自動車シルの下部領域へのブラケットの取り付けを自動化し易い。
【０００９】
請求項３に記載の本発明の他の好ましい実施形態において、接続フランジが中空部材の壁部分から形成される。このことにより、追加の個別金属フランジシートを不要にすることが可能となり、構成部品点数を低レベルに保つことにもなり、さらに中空部材へのそのような金属フランジシートの取り付けもなしで済ますことも可能になり、それは不必要な接合にかかる費用を未然に回避することにもなる。さらに、中空部材とのフランジの一体性が、機械的応力に対するブラケットの安定性を高める。フランジの構造に関する本発明による方法に対応する特に好ましい改良が請求項２３で提示されている。この場合、壁部分は、カバーから遠い中空部材の端部において単に切り欠き又は切り取りが施されるだけである。無くなった壁部分は中空部材の重量を低減し、それは自動車の全重量の低減にも有利になる。切り欠き又は切り取りは、ハイドロフォーミングによる中空部材の形成後に、同じハイドロフォーム成形機内に尚も存在しているハイドロフォーミング圧力を利用して、実現でき、これは経済的方法を構成する。さらに、形成される隙間だけ互いに間隔を空けて配置され、残りのフランジを形成する少なくとも一部の壁部分は、ハイドロフォーム成形機の外部で行われる動作で、折り曲げられる。この性質の適当な角度付けは、シル領域及び他の隣接ボディ領域の取り付け表面の位置への中空部材の取り付けの一致を最適化して、ブラケットをこれらの領域に迅速且つ堅牢に接合できるようにする。この目的のため、抵抗スポット溶接、レーザ溶接、はんだ付け又は二重曲げ接合のような接合方法を採用すると有利である。重量を低減するために、大面積のフランジが、例えば切り欠きによって「庭の垣根」のように形成されることも可能である。しかしながら、この場合、裂け目やエッジ腐食を避けるために塗布されることになるシーム封止に伴う費用が増大する。
【００１０】
請求項４に記載のような本発明によるブラケットの他の特に好ましい改良において、カバーは、スリーブ状拡張部を有し、それによりカバーが中空部材に嵌め込まれる。このことにより、いかなる保持装置も準備する必要がなくカバーを簡単に中空部材に位置決めできる。さらに、取り付け領域で起こる中空部材及びカバーの重複によって生成された二重壁のおかげで、中空部材の強度が増す。請求項２５に記載のような本発明による対応する方法の他の好ましい実施形態において、板金部材が、キャップ状カバーを非常に低コストで形成するために深絞り成形によってカバーを製造するために使用される。このように製造されたカバーは、中央に穴が空けられ、特に打ち抜かれることが好ましく、それは深絞り型内で行うことができ、それによって設備費用を低減できる。この目的のために、革新的な複合型を製造の経済性を改良するために使用できる。請求項２６に記載のようなこの目的の本発明による方法の好ましい改良において、キャップ状穴付きカバーは、中空部材に嵌め込まれ、次に上述のスリーブ状拡張部を形成するその円筒状縁部の端面の領域の周りで、好ましくは溶接によって、中空部材に接合される。差し込み式接続のおかげで、この場合、縁部の端面の周りで、プロセス工学に関し実行するのが非常に簡単である、隅肉溶接によってカバーと中空部材とが互いに特に堅牢且つ着脱不能に接合されることが可能となる。隅肉溶接に加えて、例えば二重曲げ接合やスポット溶接など、実行が簡単な考えられる代わりの接合技術がある。
【００１１】
請求項５に記載の本発明の他の好ましい構成において、カバーは、実質的に平面状であるベース領域を有する。これにより受け入れ要素とカバーとの間で当接させ易くなり、ブラケットへの力のより良好な導入が、達成された均一な当接の結果として達成される。さらに、単純な当接が受け入れ要素の明確なストッパとなるので、受け入れ要素の取り付けも容易になる。
【００１２】
請求項６に記載の本発明による好ましい改良において、自動車のジャッキブラケットの設置位置における、カバーは、全ベース領域にわたり道路と平行に向けて配置される。これにより、ジャッキブラケットの受け入れ要素へのジャッキの困難且つ安全でない取り付けが防止される。
【００１３】
他の好ましい改良は請求項７の内容によって提案される。この場合、カバーは、ベース領域にビードを有し、それらは、カバーに、したがって、ブラケットに強度の改良をもたらす。
【００１４】
請求項８に記載の本発明の他の好ましい構成において、カバーは、ベース領域に取り付け装置用の位置決め穴を有する。これらの穴はカバーを精密に取り付けるために使用され、その後、カバーは、中空部材と組み立てられると、常に正しい相対的位置を選定する。さらに、その取り付けは、組み立てられ、接合されたブラケットのシルへの所定の位置決めを可能にするので、接続フランジが精密に所望位置でそれと当接できる。この結果は、ブラケットとシルとの間の接合を、走行時の接合部の耐久性に役立つより確実な方法を使用して行うことができることである。位置決め穴を形成する他の利点は、陰極浸漬コーティング塗布法で使用された液体や、走行中に入る、水又は油のような、液体が、ブラケットから流れ出るので、一方で受け入れ要素を支障なく取り付けることができ、他方でブラケットへの腐食の危険性が最小限に抑えられるということに基づく。
【００１５】
請求項９の内容は、異なる大きさの位置決め穴に関する。これは、作業者がブラケットの位置に戸惑う危険性が排除するもので、そうでなければ、位置決め穴に関して１８０゜回転されたブラケットのカバーの一致する位置も起こりうる。
【００１６】
請求項１０に記載の本発明による他の特に好ましい構成は、カバーの中央開口部が中空部材に向かって設定されたカラー部で区切られることを示す。カラー部は、一方でカバーの、したがって、ブラケットの強度を増し、他方でカバーへの受け入れ要素の接合を簡素化し、接合部を形成するその接合要素は、例えば受け入れ要素の中心ピンによって、カバーの開口部に圧入できる。あるいは代わりに、クリップ止めによる接合は、特に有利で確実である。カバーの中央開口部は、オーバーヘッド又はスキッド運搬を利用する自動車の製造工程にも有利に使用できる。これは、開口部の全てが同一位置の受け入れ点を形成するからであり、それは、自動車の位置の結果として簡素化された基準のおかげで、例えばアクスルアセンブリのような一般に公差の厳しいワークステーションを基礎にした製造に有利である。
【００１７】
請求項１１に記載の本発明の特に好ましい改良において、受け入れ要素は、好ましくはプラスチックから成る、ストッパによって形成される。これは、受け入れ要素に関して、それが、例えばカバー開口部に圧入されることによって、カバーに利用し易い安価な構成要素によって形成されることを意味する。
【００１８】
請求項１２に記載の本発明の他の好ましい改良において、ストッパは、カバーに面する側に、カバーの中央開口部と接続するように相互に作用し合う、少なくとも１つのクリップ要素を有する。これにより、カバーの開口部、特にカラー部の背後で接触するクリップ要素で、ストッパをカバーに合わせ易くなる。
【００１９】
請求項１３に記載の本発明の他の特に好ましい構成において、固定位置の、ストッパの外周面は、カバーの円筒状縁部と面一となるか又はそれから内側とされる。このことにより、ブラケットへの力の確実な導入が確実となり、ストッパがカバーの縁部を越えて突き出た場合に起こり得る、衝撃荷重の際のストッパの座屈を防止する。これに基づくかぎり、カバー及びストッパ、ならびにカバーへの中空部材の取り付け断面は任意の所望断面形状であっても良い。
【００２０】
請求項１４に記載の本発明の他の特に好ましい改良において、カバーから遠いストッパの端部側は、自動車の、損傷に関し重要である、周囲構成要素に対して下方に予めオフセットされている。これにより、例えば自動車が車道から歩道上に、及び歩道から車道に走行するとき縁石の縁と接触したときの過度な機械的衝撃応力の結果として、例えばリアアクスル、排気系統、ボディの設備、長手方向ビーム及び横断ビームのような、修理が高価となる自動車の周囲構成要素への損傷を防ぐ。当然、この場合もまた、自動車のアンダーボディのジャッキブラケットの位置決めの適切な選択が重要な役割を果たす。
【００２１】
本発明によるブラケットは、したがって、車輪を交換するときのジャッキの取り付けのためだけではなく、上述の自動車構成要素を衝撃またはショックから保護するものとしても有利に働く。
【００２２】
請求項１５に記載の本発明の他の好ましい改良において、中空部材の接続フランジを形成する壁部分の輪郭及びシルの輪郭は、ブラケットの取り付け領域において互いに対応する形状のものとなるように設計されるので、シルにブラケットを確実に取り付けることが容易にでき、耐久性のある接続を確実にする。
【００２３】
請求項１６に記載の本発明による他の好ましい改良は、自動車の後輪の前及び前輪の背後のシルのブラケットが同一形状のものであることにある。これは、装置にかかる費用を最小限に抑える理由で、製造工程を簡素化する。
【００２４】
請求項１７に記載の本発明の他の好ましい改良において、ブラケットは、自動車のシルパネルとアンダーボディパネルとの間の構成要素分離部の外部に配置され、受け入れ要素と共にブラケットがアンダーボディパネルの開口部を通って突出する。これによって、アンダーボディパネルを取り外すだけが必要となるので、損傷の際に受け入れ要素と共にカバーを容易に交換することができる。シルパネルの高価な分解作業が不要である。
【００２５】
請求項２０に記載の本発明による方法の特に好ましい改良において、ハイドロフォーミング圧力は、素材から、軸方向に互いに間隔が空けられる少なくとも２つの拡張部材を形成し、これらの部材は、次に分割工程によって個別の中空部材に分割される。この場合、複数の中空部材が、一回の形成動作とそれに続く分割工程によって同時に形成でき、
ハイドロフォーム成形機内で、プロセスが経済的となるように行われ、短い作業サイクルでのブラケットの大量生産に有利である。この場合、異なる形状の中空部材を共通の素材から形成することが可能となる。
【００２６】
これに関する本発明による方法の他の特に好ましい実施形態が請求項２１で提示されている。成形加工に続いて、素材は、素材の長手方向軸に対し横方向に、拡張区画間で分割されて、個々の素材区画を形成し、これらは次に素材区画の軸方向範囲に対し横方向に行われるさらなる分割によって略中間で、それぞれ２つの中空部材に分割される。この場合、素材の区画の拡張部が、対称分割切断によって、簡単に全く同一の二重部品を造るために使用され、その結果として、一方で特に成形機を有効に活用することが可能となり、他方で大量生産が促進され、ブラケットの製造に必要な作業サイクルが加速される。分割方法は、−前にも説明したように−ハイドロフォーム成形機内で行われるが、このことは、異なる方法選択肢の使用の汎用性を制限する。例えば、この場合、主に、打ち抜き又は回転刃による分割のような、機械的分割方法が実用的である。分割がハイドロフォーミングに続いて、その成形型の外部で、実行されることも同等に考えられる。このことにより、さらに他の分割方法を利用することも可能となる。この場合、レーザ切断又はプラズマ切断も適切である。
【００２７】
請求項２２に記載の本発明による方法の他の好ましい実施形態において、素材の非拡張端部は、成形加工後に切断される。このことにより、ハイドロフォーミング加工中に素材を軸方向に密閉させる軸方向ラムによって挟まれ、したがって、損傷を受ける端部側素材の材料が、その動作強度を確保することは不可能であろうブラケットを形成するのに使用されるのを防ぐ。さらに、この端部は中空部材を無駄に長くせず、その形状も設置条件に適切に一致しない。さらにこの種類の端部は、全く不要な余分の重量を伴う。これらの端部は、これらの欠点を避けるべく切断される。
【００２８】
請求項２４に記載の本発明の他の特に好ましい改良において、切り欠きはハイドロフォーム成形機内にまだ残っているハイドロフォーミング圧力を用いて中空部材のハイドロフォーミング中に又はそれに続いて行われ、これは、それがフランジの形状を望ましくなく変形させるひけを避けるので、プロセス経済に関し特に有利である。
【００２９】
本発明を図面で示された例示的な実施形態を基に以下で詳細に説明する。
【発明を実施するための最良の形態】
【００３０】
図１は、ハイドロフォーミングによって拡張され、互いに軸方向に間隔を空けて配置される複数の（この場合：４つ）の拡張区画２を有する細長管状素材１を示す。素材１は区画２の間に短い非拡張区画３を有する。
【００３１】
変形された素材１がハイドロフォーム成形機から取り出された後、未変形のままであるその非拡張端部４は切り落とされる。同時に又はその後、素材１は、短区画３の位置において、素材長手方向軸５に対して横方向に分割されて、個々の素材区画を形成する。これらの素材区画は、次に素材区画の軸方向の範囲に対して横方向に実行される他の分割方法によって、略中間で分割されて、それぞれ２つの中空部材６を形成するが、それらのうちのたった１つが図２に示されている。壁部は、カバーから遠い外周連続中空部材６の端部７において切り欠き又は切り取りが施され、明確な隙間８を残す。
【００３２】
形成された隙間８によって円周方向に互いに間隔を空けて配置されるブラケット１２のフランジを形成する残りの壁部９の一部９ａは、次に、シル領域及び周囲ボディ領域の取り付けフランジに合致するように、折り曲げられているので、ブラケット１２を取り付け表面においてシル及び周囲ボディ部品に容易に接続できる。カバーに近い中空部材６の端部１０に、中空部材６は、実質的に円形の円周領域１１を有し、それに接合されることになるカバーを嵌め込むことができる（図３）。円周領域１１を形成すると、カバーへの嵌め込みが容易になる。
【００３３】
図４は、完成したジャッキブラケット１２を示す。この状態を達成するために、板金部材から深絞りされ、ジャッキを嵌め込むことができる受け入れ要素用の開口部１６を形成できるように中央に穴が空けられ、特に打ち抜かれている、キャップ状カバー１３が、中空部材６の円周領域１１に嵌め込まれている。カバー１３のスリーブ状拡張部を形成する、管状縁部１５の端面１４の領域において、カバー１３は、中空部材６に、好ましくは溶接によって接合されている。
【００３４】
図５は、カバー１３が、実質的に平面形状であるベース領域１７を有することを示す、その組み立て前のジャッキブラケット１２を示す。さらに、ベース領域１７において、カバー１３は、円形ベース領域１７の円周方向に互いに対してそれぞれ７２゜オフセットして、五芒星の形に、配置されるビード１８を有する。さらに、異なる大きさの取り付け装置用の位置決め穴１９は、ベース領域１７に形成される。さらに、カバー１３は、中空部材６に向かって設定され、カバー１３のベース領域１７に形成された中央開口部１６を区切るカラー部２０を有する。図４ですでに行われている、組み立てには、中空部材６の円周領域１１がカバー１３の縁部１５と当接するように、カバー１３に嵌め込まれ、その縁部１５に、好ましくは溶接、接着接合又は二重曲げ接合によって、接合されるが、カバー１３や中空部材６の寸法は、カバー１３の縁部１５が中空部材６の貫通開口部２９に嵌め込まれ、次に円周領域１１に固定して接合されるようなものになることも考えられる。図５はまた、固定フランジを形成する中空部材６又は次のジャッキブラケット１２の壁部分９を特に明らかにする。
【００３５】
図６において、本発明によるジャッキブラケット１２は自動車３０に設置されている。この場合、ブラケット１２のカバー１３は、全ベース領域１７にわたり道路と平行に向けられる。自動車３０の後輪の前及び前輪の背後のシル２６のブラケット１２は、同一形状である。さらに、中空部材６の、接続フランジを形成する、壁部分９の輪郭、及びシル２６の輪郭は、ブラケット１２の取り付け領域において互いに対応する形状のものとなるように設計されるので、それらの間に隙間のない当接、したがって、特に耐久性のある接続をもたらすことができる。
【００３６】
ブラケット１２の受け入れ要素は、ストッパ２１によって形成され、これは好ましくはプラスチックから成り、固定位置における、その外周面２４は、カバー１３の円筒状縁部１５から内側に配置される。カバーに面するストッパ２１のその面２２は、いかなる隙間もなくカバー１３の下面３１に当接する。さらに、ストッパ２１は中央貫通ボア３２を有し、それを通ってクリップ要素２３が突出する。クリップ要素２３は中空形状であり、カバーから離れた端部３３はリングカラー部３４を有し、そのリングカラー部３４によってクリップ要素２３が貫通ボア３２の段付肩部３５に当接する。プラグ３７は、クリップ要素２３のキャビティ３６に圧入され、クリップ要素２３をストッパ２１の貫通ボア３２内で固定し、それに当接することによって外部に対しリングカラー部３４を覆う。プラグ３７は、固定リング３８によって貫通ボア３２内で追加的に固定され、その固定リング３８は、プラグ３７のヘッド４０の外周３９に形成された受け入れ溝４１に嵌め込まれる。プラグ３７のヘッド４０は、カバーから遠いストッパ２１の端面２５と面一になっている。カバーから遠いストッパ２１の端面２５は、損傷に関し重要である自動車３０の周囲構成要素に対し下方に予めオフセットされている。カバーに近いその端部４２には、クリップ要素２３が、カバー１３の中央開口部１６を貫通し、そこで円形カラー部２０の周りで接触する円形アンカーフックの形式で設計されるので、ストッパ２１をカバー１３に合わすことができる。プラグ３７は、フックの全長にわたり中空となるように設計されるので、フックは、カバー開口部１６に押し込まれたとき半径内方に降伏でき、そのあとカラー部２０背後の固定位置に復元するに足る弾性力を備えている。クリップ要素２３は、ゆえにカバー１３の中央開口部１６と接続して相互に作用し合う。ストッパ２１はまた、開口部１６に嵌め込まれ、カラー部２０の内側に当接する中空中央ショートネック部４３を有する。設置された位置において、クリップ要素２３のフックは、カラー部２０を経由して、ネック部４３を包囲する。カバー１３は、結果的にストッパ２１をカバー１３に確動的且つ摩擦的に係止する接続のおかげで特に確実に保持される。
【００３７】
ブラケット１２は、自動車３０のシルパネル２７とアンダーボディパネル２８との間の構成要素分離部の外部に配置され、受け入れ要素、すなわちストッパ２１は、アンダーボディパネル２８の開口部４４を通り突出する。
【００３８】
最後に、図７は、ブラケット１２を形成する中空部材６に分割される前の中空部材素材１を示し、素材１はすでに拡張区画２を有する。さらに、分割動作後に隙間８（図２参照）を形成する切り欠き４５がハイドロフォーム成形機内で生成されるが、その間、適当なラムによって、ハイドロフォーミング圧力が尚も残っている。その分割は、一方で拡張区画の中間で切断し、他方で対になって形成され、ウエブ４６によって互いに軸方向に分離された切り欠き４５ａと４５ｂとの間で切断する、素材１の縦方向範囲に対して横向きに切断する分割切断によって行われる。上述ウエブ４６は分割切断中に完全に取り除かれる。
【図面の簡単な説明】
【００３９】
【図１】本発明によるブラケットの製造の進捗の連続段階の斜視図を示す。
【図２】本発明によるブラケットの製造の進捗の連続段階の斜視図を示す。
【図３】本発明によるブラケットの製造の進捗の連続段階の斜視図を示す。
【図４】本発明によるブラケットの製造の進捗の連続段階の斜視図を示す。
【図５】カバーと中空部材とが組み立てられて本発明によるブラケットを形成する前のカバー及び中空部材の斜視図を示す。
【図６】自動車の設置位置における本発明によるジャッキブラケットの横断面図を示す。
【図７】切り欠き部が形成された拡張管状素材の斜視図を示す。
【図１】
2007533525.tif 000003
【図２】
2007533525.tif 000004
【図３】
2007533525.tif 000005
【図４】
2007533525.tif 000006
【図５】
2007533525.tif 000007
【図６】
2007533525.tif 000008
【図７】
2007533525.tif 000009
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
フランジを用いて自動車のシルに固定され、ジャッキをはめ込むことができる受け入れ要素用の開口部を有する、自動車用のジャッキブラケットであって、
前記ブラケット（１２）が、管状の中空部材（６）と、前記シルから遠い前記中空部材（６）の端部（１０）に固定され、前記端部（１０）を覆い、前記受け入れ要素用の前記開口部（１６）を有するカバー（１３）とから成り、
前記中空部材（６）がハイドロフォーミング部品であることを特徴とするジャッキブラケット。
【請求項２】
前記フランジが、前記中空部材（６）の壁部分（９）から形成されることを特徴とする請求項１に記載のジャッキブラケット。
【請求項３】
前記カバー（１３）がスリーブ状拡張部を有し、同スリーブ状拡張部によって前記カバー（１３）が前記中空部材（６）に嵌め込まれることを特徴とする請求項１あるいは２のいずれかに記載のジャッキブラケット。
【請求項４】
前記カバー（１３）は、実質的に平面状であるベース領域（１７）を有することを特徴とする請求項１〜３のいずれか一項に記載のジャッキブラケット。
【請求項５】
前記カバー（１３）は、前記自動車（３０）の前記ジャッキブラケット（１２）の設置位置において、全ベース領域（１７）にわたり道路と平行に向けられることを特徴とする請求項１〜４のいずれか一項に記載のジャッキブラケット。
【請求項６】
前記カバー（１３）は前記ベース領域（１７）にビード（１８）を有することを特徴とする請求項１〜５のいずれか一項に記載のジャッキブラケット。
【請求項７】
前記カバー（１３）は、前記ベース領域（１７）に取り付け装置用の位置決め穴（１９）を有することを特徴とする請求項１〜６のいずれか一項に記載のジャッキブラケット。
【請求項８】
前記位置決め穴（１９）は異なる大きさのものであることを特徴とする請求項７に記載のジャッキブラケット。
【請求項９】
前記カバー（１３）の中央開口部（１６）は、前記中空部材（６）に向かうカラー部（２０）によって区切られることを特徴とする請求項１〜８のいずれか一項に記載のジャッキブラケット。
【請求項１０】
前記受け入れ要素は、好ましくはプラスチックから成る、ストッパ（２１）によって形成されることを特徴とする請求項１〜９のいずれか一項に記載のジャッキブラケット。
【請求項１１】
前記ストッパ（２１）は、前記カバーに面する面（２２）に、前記カバー（１３）の前記中央開口部（１６）と接続するよう相互に作用する少なくとも１つのクリップ要素（２３）を有することを特徴とする請求項１０に記載のジャッキブラケット。
【請求項１２】
前記ストッパ（２１）の外周面（２４）は、前記固定位置において、前記カバー（１３）の円筒状縁部（１５）と面一になるか又は内側にあることを特徴とする請求項１０あるいは１１のいずれか一項に記載のジャッキブラケット。
【請求項１３】
前記カバーから遠い前記ストッパ（２１）の端面（２５）は、前記自動車（３０）の、損傷に関し重要である、周囲構成要素に対し下方に予めオフセットされることを特徴とする請求項１０〜１２のいずれか一項に記載のジャッキブラケット。
【請求項１４】
前記中空部材（６）の、接続フランジを形成する、壁部分（９）の輪郭と、前記シル（２６）の輪郭とは、前記ブラケット（１２）の取り付け領域において互いに対応する形状となるように設計されることを特徴とする請求項１〜１３のいずれか一項に記載のジャッキブラケット。
【請求項１５】
前記自動車（３０）の後輪の前方及び前輪の後方の前記シル（２６）の前記ブラケット（１２）は、同一形状であることを特徴とする請求項１〜１４のいずれか一項に記載のジャッキブラケット。
【請求項１６】
前記ブラケット（１２）は、前記自動車（３０）のシルパネル（２７）とアンダーボディパネル（２８）との間の構成要素分離部の外部に配置され、前記受け入れ要素と共に前記ブラケット（１２）は前記アンダーパネル（２８）の開口部（４４）を通って突出することを特徴とする請求項１〜１５のいずれか一項に記載のジャッキブラケット。
【請求項１７】
フランジによって自動車のシルに固定され、ジャッキをはめ込むことができる受け入れ要素用の開口部を有する、前記自動車のジャッキブラケットを製造する方法であって、前記ブラケット（１２）が、中空部材（６）と、一端で前記中空部材（６）を覆うカバー（１３）とから組み立てられ、
前記開口部（１６）が前記カバー（１３）に形成され、
前記中空部材（６）が、ハイドロフォーミングによって伸ばされる、管状素材（１）から形成され、前記ハイドロフォーミング圧力が、前記素材（１）から、互いに軸方向に離間して配置される、少なくとも２つの拡張区画（２）を形成し、それらの区画（２）が次に分割工程によって別々の中空部材（６）に分割されることを特徴とする方法。
【請求項１８】
前記形成動作に続き前記素材（１）が、前記素材の長手方向軸（５）に対して横方向に前記拡張区画（２）間で分割されて別々の素材区画を形成し、次に前記個々の素材区画が、略中間で、前記素材区画の軸方向の範囲に対し横方向に行われる他の分割方法によって、それぞれ２つの中空部材（６）に分割されることを特徴とする請求項１７に記載の方法。
【請求項１９】
前記素材（１）の非拡張端部（４）が、前記形成動作後に切り落とされることを特徴とする請求項１７あるいは１８のいずれかに記載の方法。
【請求項２０】
壁部分が、前記カバーから遠い前記中空部材（６）の端部（７）において切り欠きまたは切り取りが施され、
形成された隙間（８）により互いに間隔を空けられて残りがフランジを形成する前記壁部分（９）の少なくとも一部（９ａ）が折り曲げられることを特徴とする請求項１７〜１９のいずれか一項に記載の方法。
【請求項２１】
前記切り欠きが、前記ハイドロフォーミング圧力がまだ前記ハイドロフォーム成形機内に残っている、前記中空部材（６）のハイドロフォーミング中又はその後に行われることを特徴とする請求項２０に記載の方法。
【請求項２２】
板金部材がキャップ状カバー（１３）を形成するよう深絞り成形され、
前記カバー（１３）が好ましくは中央に穴が空けられ、特に打ち抜かれることを特徴とする請求項１７〜２１のいずれか一項に記載の方法。
【請求項２３】
前記キャップ状カバー（１３）が前記中空部材（６）に嵌め込まれ、次にその円筒状縁部（１５）の端面（１４）の領域で、好ましくは溶接によって、前記中空部材（６）に接合されることを特徴とする請求項２２に記載の方法。
【手続補正２】
【補正対象書類名】明細書
【補正対象項目名】０００２
【補正方法】変更
【補正の内容】
【０００２】
一般の種類のブラケット及びその製造方法は特許文献１に記載されている。その文献に記載のブラケットは、板金シェル構造から形成され、そのブラケットが下部シル領域にスポット溶接によって固定される取り付け領域を有する。溶接されたシェル構造は、その他端に、プラスチックストッパが嵌め込まれる開口部を有し、プラスチックストッパは、ジャッキのピンを挿入できるくぼみを有する。ブラケットのシェル構造は、そのマルチパートの性質上、加工工学や設備に関し製造するのが比較的複雑となる。さらに、その構造が過負荷の結果生じる座屈を防止できるように、その構造を特に、自動車がジャッキアップされたときのブラケットへの力の導入に、複雑な方法で、適合させなければならない。
特許文献２は、自動車の床領域に配置される、自動車の積載、牽引などのための装置を示す。その装置は、自動車を簡単に全く異なる場所に運び去る又は移動できる働きをする。この目的のため、ボディの２本の横断ビームは、それらが、フックを外部から取り付けることができる取り付け手段を隠すように、再構成される。クレーン又は同様の重く大きな昇降装置が自動車を持ち上げるのに必要となる。図４、６、８、１０、１２によれば、横断ビームは長手方向ビームに溶接される。図１２に示されるように、カバーは、シルに近い横断ビームによって形成された中空部材の端部に配置される。
特許文献３は、管区画の形の中空部材から形成されるジャッキ用のブラケットを開示している。この目的のため、文献は、ジャッキを案内するスリーブ状ストッパを示す。ストッパは、顕著な断面の開口部を有し、ジャッキはそれを貫通する。
特許文献４はただ、車体に当接する昇降台用のストッパを示し、そのストッパは単に金属ボディパネルの開口部に押し込まれるだけである。ストッパは受け入れ要素の働きをする。
【手続補正３】
【補正対象書類名】明細書
【補正対象項目名】０００３
【補正方法】変更
【補正の内容】
【０００３】
【特許文献１】独国特許発明第１９５  ２８  ３０９Ｃ２号明細書
【特許文献２】独国特許発明第８４０  ０５５Ｃ号明細書
【特許文献３】独国特許出願公開第１０９６２２７号明細書
【特許文献４】米国特許第４，９６５，９１５号明細書
【手続補正４】
【補正対象書類名】明細書
【補正対象項目名】０００５
【補正方法】変更
【補正の内容】
【０００５】
本発明によれば、この目的は、ジャッキブラケットに関する請求項１の特徴によって、及びその方法に関する請求項１７の特徴によって達成される。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、中空部材は、ハイドロフォーミング部品によって形成される。中空部材は、この場合、ハイドロフォーミングによって伸ばされる管状素材から形成される。ハイドロフォーミングは、中空部材を理想的にブラケットの周囲に適合させることを可能にし、これらの適合は、比較的小さな変形度のため、ハイドロフォーミングにおいて形成し易い膨張で自ずと現れる。ハイドロフォーミングの製造公差の自由度のおかげで、自動車シルの下部領域へのブラケットの取り付けを自動化し易い。ハイドロフォーミング圧力は、素材から、互いに軸方向に間隔が空けられる少なくとも２つの膨張区画を形成し、これらの区画は、次に分割工程によって個別の中空部材に分割される。この場合、複数の中空部材は、次の分割工程によって、短い作業サイクルでのブラケットの大量生産に有利である、ハイドロフォーミング型内で、その方法に関し経済的となるように、行われる、たった１回の形成動作によって同時に形成できる。この場合、異なる形状の中空部材を共通素材から形成することが可能となる。
【手続補正７】
【補正対象書類名】明細書
【補正対象項目名】０００９
【補正方法】変更
【補正の内容】
【０００９】
請求項２に記載の本発明の他の好ましい実施形態において、接続フランジが中空部材の壁部分から形成される。このことにより、追加の個別金属フランジシートを不要にすることが可能となり、構成部品点数を低レベルに保つことにもなり、さらに中空部材へのそのような金属フランジシートの取り付けもなしで済ますことも可能になり、それは不必要な接合にかかる費用を未然に回避することにもなる。さらに、中空部材とのフランジの一体性が、機械的応力に対するブラケットの安定性を高める。フランジの構造に関する本発明による方法の対応する特に好ましい改良が請求項２０で提示されている。この場合、壁部分は、カバーから遠い中空部材の端部において単に切り欠き又は切り取りが施されるだけである。無くなった壁部分は中空部材の重量を低減し、それは自動車の全重量の低減にも有利になる。切り欠き又は切り取りは、ハイドロフォーミングによる中空部材の形成後に、同じハイドロフォーム成形機内に尚も存在しているハイドロフォーミング圧力を利用して、実現でき、これは経済的方法を構成する。さらに、形成される隙間だけ互いに間隔を空けて配置され、残りのフランジを形成する少なくとも一部の壁部分は、ハイドロフォーム成形機の外部で行われる動作で、折り曲げられる。この性質の適当な角度付けは、シル領域及び他の隣接ボディ領域の取り付け表面の位置への中空部材の取り付けの一致を最適化して、ブラケットをこれらの領域に迅速且つ堅牢に接合できるようにする。この目的のため、抵抗スポット溶接、レーザ溶接、はんだ付け又は二重曲げ接合のような接合方法を採用すると有利である。重量を低減するために、大面積のフランジが、例えば切り欠きによって「庭の垣根」のように形成されることも可能である。しかしながら、この場合、裂け目やエッジ腐食を避けるために塗布されることになるシーム封止に伴う費用が増大する。
【手続補正８】
【補正対象書類名】明細書
【補正対象項目名】００１０
【補正方法】変更
【補正の内容】
【００１０】
請求項３に記載のような本発明によるブラケットの他の特に好ましい改良において、カバーは、スリーブ状拡張部を有し、それによりカバーが中空部材に嵌め込まれる。このことにより、いかなる保持装置も準備する必要がなくカバーを簡単に中空部材に位置決めできる。さらに、取り付け領域で起こる中空部材及びカバーの重複によって生成された二重壁のおかげで、中空部材の強度が増す。請求項２２に記載のような本発明による対応する方法の他の好ましい実施形態において、板金部材が、キャップ状カバーを非常に低コストで形成するため深絞り成形によってカバーを製造するために使用される。このように製造されたカバーは、中央に穴が空けられ、特に打ち抜かれることが好ましく、それは深絞り型内で行うことができ、それによって設備費用を低減できる。この目的のために、革新的な複合型を製造の経済性を改良するために使用できる。
請求項２３に記載のようなこの目的の本発明による方法の好ましい改良において、キャップ状穴付きカバーは、中空部材に嵌め込まれ、次に上述のスリーブ状拡張部を形成するその円筒状縁部の端面の領域の周りで、好ましくは溶接によって、中空部材に接合される。差し込み式接続のおかげで、この場合、縁部の端面の周りで、プロセス工学に関し実行するのが非常に簡単である、隅肉溶接によってカバーと中空部材とが互いに特に堅牢且つ着脱不能に接合されることが可能となる。隅肉溶接に加えて、例えば二重曲げ接合やスポット溶接など、実行が簡単な考えられる代わりの接合技術がある。
【手続補正９】
【補正対象書類名】明細書
【補正対象項目名】００１１
【補正方法】変更
【補正の内容】
【００１１】
請求項４に記載の本発明の他の好ましい構成において、カバーは、実質的に平面状であるベース領域を有する。これにより受け入れ要素とカバーとの間で当接させ易くなり、ブラケットへの力のより良好な導入が、達成された均一な当接の結果として達成される。さらに、単純な当接が受け入れ要素の明確なストッパとなるので、受け入れ要素の取り付けも容易になる。
【手続補正１０】
【補正対象書類名】明細書
【補正対象項目名】００１２
【補正方法】変更
【補正の内容】
【００１２】
請求項５に記載の本発明による好ましい改良において、自動車のジャッキブラケットの設置位置における、カバーは、全ベース領域にわたり道路と平行に向けて配置される。これにより、ジャッキブラケットの受け入れ要素へのジャッキの困難且つ安全でない取り付けが防止される。
【手続補正１１】
【補正対象書類名】明細書
【補正対象項目名】００１３
【補正方法】変更
【補正の内容】
【００１３】
他の好ましい改良は請求項６の内容によって提案される。この場合、カバーは、ベース領域にビードを有し、それらは、カバーに、したがって、ブラケットに強度の改良をもたらす。
【手続補正１２】
【補正対象書類名】明細書
【補正対象項目名】００１４
【補正方法】変更
【補正の内容】
【００１４】
請求項７に記載の本発明の他の好ましい構成において、カバーは、ベース領域に取り付け装置用の位置決め穴を有する。これらの穴はカバーを精密に取り付けるために使用され、その後、カバーは、中空部材と組み立てられると、常に正しい相対的位置を選定する。さらに、その取り付けは、組み立てられ、接合されたブラケットのシルへの所定の位置決めを可能にするので、接続フランジが精密に所望位置でそれと当接できる。この結果は、ブラケットとシルとの間の接合を、走行時の接合部の耐久性に役立つより確実な方法を使用して行うことができることである。位置決め穴を形成する他の利点は、陰極浸漬コーティング塗布法で使用された液体や、走行中に入る、水又は油のような、液体が、ブラケットから流れ出るので、一方で受け入れ要素を支障なく取り付けることができ、他方でブラケットへの腐食の危険性が最小限に抑えられるということに基づく。
【手続補正１３】
【補正対象書類名】明細書
【補正対象項目名】００１５
【補正方法】変更
【補正の内容】
【００１５】
請求項８の内容は、異なる大きさの位置決め穴に関する。これは、作業者がブラケットの位置に戸惑う危険性が排除するもので、そうでなければ、位置決め穴に関して１８０゜回転されたブラケットのカバーの一致する位置も起こりうる。
【手続補正１４】
【補正対象書類名】明細書
【補正対象項目名】００１６
【補正方法】変更
【補正の内容】
【００１６】
請求項９に記載の本発明による他の特に好ましい構成は、カバーの中央開口部が中空部材に向かって設定されたカラー部で区切られることを示す。カラー部は、一方でカバーの、したがって、ブラケットの強度を増し、他方でカバーへの受け入れ要素の接合を簡素化し、接合部を形成するその接合要素は、例えば受け入れ要素の中心ピンによって、カバーの開口部に圧入できる。あるいは代わりに、クリップ止めによる接合は、特に有利で確実である。カバーの中央開口部は、オーバーヘッド又はスキッド運搬を利用する自動車の製造工程にも有利に使用できる。これは、開口部の全てが同一位置の受け入れ点を形成するからであり、それは、自動車の位置の結果として簡素化された基準のおかげで、例えばアクスルアセンブリのような一般に公差の厳しいワークステーションを基礎にした製造に有利である。
【手続補正１５】
【補正対象書類名】明細書
【補正対象項目名】００１７
【補正方法】変更
【補正の内容】
【００１７】
請求項１０に記載の本発明の特に好ましい改良において、受け入れ要素は、好ましくはプラスチックから成る、ストッパによって形成される。これは、受け入れ要素に関して、それが、例えばカバー開口部に圧入されることによって、カバーに利用し易い安価な構成要素によって形成されることを意味する。
【手続補正１６】
【補正対象書類名】明細書
【補正対象項目名】００１８
【補正方法】変更
【補正の内容】
【００１８】
請求項１１に記載の本発明の他の好ましい改良において、ストッパは、カバーに面する側に、カバーの中央開口部と接続するように相互に作用し合う、少なくとも１つのクリップ要素を有する。これにより、カバーの開口部、特にカラー部の背後で接触するクリップ要素で、ストッパをカバーに合わせ易くなる。
【手続補正１７】
【補正対象書類名】明細書
【補正対象項目名】００１９
【補正方法】変更
【補正の内容】
【００１９】
請求項１２に記載の本発明の他の特に好ましい構成において、固定位置の、ストッパの外周面は、カバーの円筒状縁部と面一となるか又はそれから内側とされる。このことにより、ブラケットへの力の確実な導入が確実となり、ストッパがカバーの縁部を越えて突き出た場合に起こり得る、衝撃荷重の際のストッパの座屈を防止する。これに基づくかぎり、カバー及びストッパ、ならびにカバーへの中空部材の取り付け断面は任意の所望断面形状であっても良い。
【手続補正１８】
【補正対象書類名】明細書
【補正対象項目名】００２０
【補正方法】変更
【補正の内容】
【００２０】
請求項１３に記載の本発明の他の特に好ましい改良において、カバーから遠いストッパの端部側は、自動車の、損傷に関し重要である、周囲構成要素に対して下方に予めオフセットされている。これにより、例えば自動車が車道から歩道上に、及び歩道から車道に走行するとき縁石の縁と接触したときの過度な機械的衝撃応力の結果として、例えばリアアクスル、排気系統、ボディの設備、長手方向ビーム及び横断ビームのような、修理が高価となる自動車の周囲構成要素への損傷を防ぐ。当然、この場合もまた、自動車のアンダーボディのジャッキブラケットの位置決めの適切な選択が重要な役割を果たす。
【手続補正１９】
【補正対象書類名】明細書
【補正対象項目名】００２２
【補正方法】変更
【補正の内容】
【００２２】
請求項１４に記載の本発明の他の好ましい改良において、中空部材の接続フランジを形成する壁部分の輪郭及びシルの輪郭は、ブラケットの取り付け領域において互いに対応する形状のものとなるように設計されるので、シルにブラケットを確実に取り付けることが容易にでき、耐久性のある接続を確実にする。
【手続補正２０】
【補正対象書類名】明細書
【補正対象項目名】００２３
【補正方法】変更
【補正の内容】
【００２３】
請求項１５に記載の本発明による他の好ましい改良は、自動車の後輪の前及び前輪の背後のシルのブラケットが同一形状のものであることにある。これは、装置にかかる費用を最小限に抑える理由で、製造工程を簡素化する。
【手続補正２１】
【補正対象書類名】明細書
【補正対象項目名】００２４
【補正方法】変更
【補正の内容】
【００２４】
請求項１６に記載の本発明の他の好ましい改良において、ブラケットは、自動車のシルパネルとアンダーボディパネルとの間の構成要素分離部の外部に配置され、受け入れ要素と共にブラケットがアンダーボディパネルの開口部を通って突き出る。これによって、アンダーボディパネルを取り外すだけが必要となるので、損傷の際に受け入れ要素と共にカバーを容易に交換することができる。シルパネルの高価な分解作業が不要である。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
これに関する本発明による方法の他の特に好ましい実施形態が請求項１８で提示されている。成形加工に続いて、素材は、素材の長手方向軸に対し横方向に、拡張区画間で分割されて、個々の素材区画を形成し、これらは次に素材区画の軸方向範囲に対し横方向に行われるさらなる分割によって略中間で、それぞれ２つの中空部材に分割される。この場合、素材の区画の拡張部が、対称分割切断によって、簡単に全く同一の二重部品を造るために使用され、その結果として、一方で特に成形機を有効に活用することが可能となり、他方で大量生産が促進され、ブラケットの製造に必要な作業サイクルが加速される。
分割方法は、−前にも説明したように−ハイドロフォーム成形機内で行われるが、このことは、異なる方法選択肢の使用の汎用性を制限する。例えば、この場合、主に、打ち抜き又は回転刃による分割のような、機械的分割方法が実用的である。分割がハイドロフォーミングに続いて、その成形型の外部で、実行されることも同等に考えられる。このことにより、さらに他の分割方法を利用することも可能となる。この場合、レーザ切断又はプラズマ切断も適切である。
【手続補正２４】
【補正対象書類名】明細書
【補正対象項目名】００２７
【補正方法】変更
【補正の内容】
【００２７】
請求項１９に記載の本発明による方法の他の好ましい実施形態において、素材の非拡張端部は、成形加工後に切断される。このことにより、ハイドロフォーミング加工中に素材を軸方向に密閉させる軸方向ラムによって挟まれ、したがって、損傷を受ける端部側素材の材料が、その動作強度を確保することは不可能であろうブラケットを形成するのに使用されるのを防ぐ。さらに、この端部は中空部材を無駄に長くせず、その形状も設置条件に適切に一致しない。さらにこの種類の端部は、全く不要な余分の重量を伴う。これらの端部は、これらの欠点を避けるべく切断される。
【手続補正２５】
【補正対象書類名】明細書
【補正対象項目名】００２８
【補正方法】変更
【補正の内容】
【００２８】
請求項２１に記載の本発明の他の特に好ましい改良において、切り欠きはハイドロフォーム成形機内にまだ残っているハイドロフォーミング圧力を用いて中空部材のハイドロフォーミング中に又はそれに続いて行われ、これは、それがフランジの形状を望ましくなく変形させるひけを避けるので、プロセス経済に関し特に有利である。
【国際調査報告】
2007533525.tif 000010
2007533525.tif 000011
2007533525.tif 000012
2007533525.tif 000013
2007533525.tif 000014
2007533525.tif 000015